(57)【特許請求の範囲】
【請求項１】
制御回路と、前記制御回路への入出力を行う透明な樹脂フィルムの表面に情報を印刷した入出力部を上下にふたつ備えるとともに、前記入出力部の上部は前記制御回路を操作する複数の操作手段を有する操作部と、前記入出力部の下部は抜き穴または印刷を抜いた透明窓で形成し前記制御回路の状態を発光ダイオードや液晶で表示する複数の表示手段を有する表示部とを有し、前記表示部は前記操作部に対して垂直方向下方の本体の中に奥まった位置に配置することを特徴とする電気湯沸かし器。
【請求項２】
表示部を入出力部の中央付近に配置した請求項１記載の電気湯沸かし器。
【請求項３】
各操作手段とその関連性の高い各表示手段とを関連づけられた位置関係に配置した請求項１または２記載の電気湯沸かし器。
【請求項４】
操作部を入出力部の左右両側に分割配置することを特徴とする請求項１〜３いずれか１項に記載の電気湯沸かし器。
【請求項５】
操作部を構成する複数の操作手段のうち、給湯操作に関わる操作手段を入出力部の片側に集合配置し、給湯以外の操作に関わる操作手段を反対側に集合配置することを特徴とする請求項４記載の電気湯沸かし器。
【請求項６】
給湯以外の操作に関わる操作手段のうち、操作頻度の高い操作手段を本体手前側から順に配置することを特徴とする請求項５記載の電気湯沸かし器。
【請求項７】
表示部を構成する複数の表示手段のうち、液体の保温温度などを数値的に表示する第１表示手段と、液体の保温状態を表示する第２表示手段とを有する請求項１記載の電気湯沸かし器。
【請求項８】
表示部を構成する複数の表示手段のうち、液体の保温温度などを数値的に表示する第１表示手段と、液体の保温状態を表示する第２表示手段と、液体を浄化している状態を表示する第３表示手段とを有する請求項１記載の電気湯沸かし器。
【請求項９】
表示部を操作部に対して下方に配置する部分とそうでない部分とに分割配置することを特徴とする請求項１記載の電気湯沸かし器。
【請求項１０】
表示部を構成する複数の表示手段のうち、液体の保温温度などを数値的に表示する第１表示手段の上下両側に液体の保温状態を表示する第２表示手段と、液体を浄化している状態を表示する第３表示手段を分割配置することを特徴とする請求項９記載の電気湯沸かし器。
【発明の詳細な説明】
【０００１】
【発明の属する技術分野】
本発明は、電気湯沸かし器に関するものであり、特にその入出力部を構成する操作部と表示部の配置に関するものである。
【０００２】
【従来の技術】
従来の電気湯沸かし器は、例えば図４〜図６に示すような構成になっていた。すなわち、図４の分解図に示すように、制御回路１と、制御回路１への入出力を行う入出力部２を備えている。入出力部２は制御回路１を操作する複数の操作手段３ａを有する操作部３と、制御回路１の状態を表示する複数の表示手段４ａを有する表示部４とを同一面上に有している。また、制御回路１には液体の保温温度などを数値的に表示する液晶１ａ、液体の保温状態を表示する発光ダイオ−ド１ｂ、各機能を操作するスイッチ１ｃなどが装着されている。
【０００３】
図５に、上記構成による電気湯沸かし器の主要断面図を示す。図５において、入出力部２は一般的にＰＥＴなどの透明な樹脂フィルムの表面に操作および表示に必要な情報が印刷されている。ここで、複数の表示手段４ａは一般的に印刷を抜いた透明窓などで形成され、液晶１ａや発光ダイオ−ド１ｂなどによって表示される液体の保温温度や保温状態などの情報を確認することができるように構成されている。また、複数の操作手段３ａは一般的にエンボス加工などで形成され、スイッチ１ｃを動作させるように構成されている。図６に、上記構成による入出力部２の一例を示す。
【０００４】
【発明が解決しようとする課題】
しかしながら、従来の電気湯沸かし器では、「操作部と表示部が明確に区分されていない」、「表示部が分散している」、「操作部と表示部の関連づけが不十分」、「操作部が機能別に区分されていない」、「操作部の使用頻度によるランク付けが不十分」、「表示部が状態別に区分されていない」といった理由により、特に高齢ユ−ザ−にとって、「わかりにくい」「使い勝手が悪い」という課題があった。
【０００５】
本発明はこのような従来の課題を解決するものであり、操作部と表示部を構造的に明確に区分した上で表示部を集中させ、操作部と表示部の関連づけを行うことを目的とする。さらに、操作部を機能別に区分して使用頻度によるランク付けを意識した配置を行い、表示部の状態別に区分することによって、「わかりにくさ」を解消し、使い勝手の良い電気湯沸かし器を提供することを目的とする。
【０００６】
【課題を解決するための手段】
上記の課題を解決するために、本発明は、制御回路と、前記制御回路への入出力を行う透明な樹脂フィルムの表面に情報を印刷した入出力部を上下にふたつ備えるとともに、前記入出力部の上部は前記制御回路を操作する複数の操作手段を有する操作部と、前記入出力部の下部は抜き穴または印刷を抜いた透明窓で形成し前記制御回路の状態を発光ダイオードや液晶で表示する複数の表示手段を有する表示部とを有し、前記表示部は前記操作部に対して垂直方向下方の本体の中に奥まった位置に配置することを特徴とする電気湯沸かし器とするものである。
【０００７】
本発明は上記した構成により、操作部と表示部を構造的に明確に区分した上で表示部を集中させ、操作部と表示部の関連づけを行うことができる。さらに、操作部を機能別に区分して使用頻度によるランク付けを意識した配置を行い、表示部の状態別に区分することによって、「わかりにくさ」を解消することができる。
【０００８】
【発明の実施の形態】
本発明の請求項１記載の発明は、制御回路と、前記制御回路への入出力を行う透明な樹脂フィルムの表面に情報を印刷した入出力部を上下にふたつ備えるとともに、前記入出力部の上部は前記制御回路を操作する複数の操作手段を有する操作部と、前記入出力部の下部は抜き穴または印刷を抜いた透明窓で形成し前記制御回路の状態を発光ダイオードや液晶で表示する複数の表示手段を有する表示部とを有し、前記表示部は前記操作部に対して垂直方向下方の本体の中に奥まった位置に配置することを特徴とする電気湯沸かし器とする。
【０００９】
これによって、表示部を操作部に対して下方に配置しているため、操作部と表示部を構造的に明確に区分することができる。
【００１０】
本発明の請求項２記載の発明は、表示部を入出力部の中央付近に配置することを特徴とする電気湯沸かし器とする。
【００１１】
これによって、表示部を入出力部の中央付近に配置しているため、複数の表示手段を集中させることができる。
【００１２】
本発明の請求項３記載の発明は、各操作手段とその関連性の高い各表示手段とを関連づけられた位置関係に配置することを特徴とする電気湯沸かし器とする。
【００１３】
これによって、各操作手段とその関連性の高い各表示手段とを関連づけられた位置関係に配置しているため、操作部と表示部の関連づけが可能となる。
【００１４】
本発明の請求項４記載の発明は、操作部を入出力部の左右両側に分割配置することを特徴とする電気湯沸かし器とする。
【００１５】
これによって、操作部を入出力部の左右両側に分割配置しているため、複数の操作手段を機能別に区分することができる。
【００１６】
本発明の請求項５記載の発明は、操作部を構成する複数の操作手段のうち、給湯操作に関わる操作手段を入出力部の片側に集合配置し、給湯以外の操作に関わる操作手段を反対側に集合配置することを特徴とする電気湯沸かし器とする。
【００１７】
これによって、給湯操作に関わる操作手段を入出力部の片側に集合配置し、給湯以外の操作に関わる操作手段を反対側に集合配置しているため、複数の操作手段を機能別に区分することができる上に、給湯操作（電気湯沸かし器の主要操作）に関わる操作手段と、それ以外の操作に関わる操作手段とを構造的にグル−ピングすることができる。
【００１８】
本発明の請求項６記載の発明は、給湯以外の操作に関わる操作手段のうち、操作頻度の高い操作手段を本体手前側から順に配置することを特徴とする電気湯沸かし器とする。
【００１９】
これによって、操作頻度の高い操作手段を本体手前側から順に配置しているため、複数の操作手段について構造的に使用頻度によるランク付けを行うことができる。
【００２０】
本発明の請求項７記載の発明は、表示部を構成する複数の表示手段のうち、液体の保温温度などを数値的に表示する第１表示手段と、液体の保温状態を表示する第２表示手段とを有する電気湯沸かし器とする。
【００２１】
これによって、液体の保温温度などを数値的に表示する第１表示手段と、液体の保温状態を表示する第２表示手段とを操作部に対して下方に配置しているため、電気湯沸かし器の保温状態に関連する表示手段を構造的に集中させ、関連づけることができる。
【００２２】
本発明の請求項８記載の発明は、表示部を構成する複数の表示手段のうち、液体の保温温度などを数値的に表示する第１表示手段と、液体の保温状態を表示する第２表示手段と、液体を浄化している状態を表示する第３表示手段とを有する電気湯沸かし器とする。
【００２３】
これによって、液体の保温温度などを数値的に表示する第１表示手段と、液体の保温状態を表示する第２表示手段と、液体を浄化している状態を表示する第３表示手段とを操作部に対して下方に配置しているため、電気湯沸かし器の保温状態に関連する表示手段を構造的に集中させ、関連づけることができる上に、電気沸かし器の浄水状態を表示することができる。
【００２４】
本発明の請求項９記載の発明は、表示部を操作部に対して下方に配置する部分とそうでない部分とに分割配置することを特徴とする電気湯沸かし器とする。
【００２５】
これによって、表示部を操作部に対して下方に配置する部分とそうでない部分とに分割配置しているため、電気湯沸かし器の状態に関連する表示手段と、操作に関連する表示手段とを構造的に区分することができる。
【００２６】
本発明の請求項１０記載の発明は、表示部を構成する複数の表示手段のうち、液体の保温温度などを数値的に表示する第１表示手段の上下両側に液体の保温状態を表示する第２表示手段と、液体を浄化している状態を表示する第３表示手段を分割配置することを特徴とする電気湯沸かし器とする。
【００２７】
これによって、液体の保温温度などを数値的に表示する第１表示手段の上下両側に液体の保温状態を表示する第２表示手段と、液体を浄化している状態を表示する第３表示手段を分割配置しているため、電気湯沸かし器の保温状態に関連する表示手段を構造的に集中させ、関連づけることができる上に、電気沸かし器の浄水状態を表示することができ、構造的にグル−ピングすることができる。
【００２８】
上記に示すように、操作部、表示部を構造的に区分することによって、操作上の「わかりにくさ」「使いにくさ」を解消できる。
【００２９】
【実施例】
以下、本発明の実施例について、図１〜図３を参照しながら説明する。図１の分解図に示すように、制御回路１１と、制御回路１１への入出力を行う入出力部１２を上下にふたつ備えている。入出力部１２の上部１２ａは主に制御回路１１を操作する複数の操作手段１３ａを有する操作部１３を有し、入出力部１２の下部１２ｂは主に制御回路１１の状態を表示する複数の表示手段１４ａを有する表示部１４を有している。すなわち、表示部１４を操作部１３に対して下方に配置している。また、制御回路１１には液体の保温温度などを数値的に表示する液晶１１ａ、液体の保温状態を表示する発光ダイオ−ド１１ｂ、各機能を操作するスイッチ１１ｃなどを装着している。
【００３０】
図２に、上記構成による実施例の主要断面図を示す。図２において、入出力部１２の上部１２ａは一般的にＰＥＴなどの透明な樹脂フィルムの表面に主に操作に必要な情報を印刷している。ここで、複数の操作手段１３ａは一般的にエンボス加工などで形成し、スイッチ１１ｃを動作させるように構成している。また、入出力部１２の下部１２ｂは一般的にＰＥＴなどの透明な樹脂フィルムの表面に主に表示に必要な情報を印刷している。ここで、複数の表示手段１４ａは一般的に抜き穴や印刷を抜いた透明窓などで形成し、液晶１１ａや発光ダイオ−ド１１ｂなどによって表示される液体の保温温度や保温状態などの情報を確認することができるように構成している。
【００３１】
図３に、上記構成による入出力部１２の一例を示す。本実施例では、制御回路１１の状態を表示する複数の表示手段１４ａを有する表示部１４を入出力部１２の中央に配置し、制御回路１１を操作する複数の操作手段１３ａを有する操作部１３を入出力部１２の左右両側に分割配置している。ここで、操作部１３を構成する複数の操作手段１３ａのうち、給湯操作に関わる操作手段を入出力部１２の右側に集合配置し、給湯以外の操作に関わる操作手段を左側に集合配置している。さらに、給湯以外の操作に関わる操作手段のうち、操作頻度の高い操作手段を本体手前側から順に配置している。また、表示部１４を構成する複数の表示手段１４ａのうち、液晶１１ａによって液体の保温温度などを数値的に表示する第１表示手段１４ａ（ア）と、発光ダイオ−ド１１ｂによって液体の保温状態を表示する第２表示手段１４ａ（イ）と、発光ダイオ−ド１１ｂによって液体を浄化している状態を表示する第３表示手段１４ａ（ウ）とを入出力部１２の下部１２ｂに配置している。ここで、第１表示手段１４ａ（ア）の上側に第２表示手段１４ａ（イ）、下側に第３表示手段１４ａ（ウ）を分割配置している。
【００３２】
上記説明でわかるように、制御回路１１の状態を表示する複数の表示手段１４ａを有する表示部１４を、制御回路１１を操作する複数の操作手段１３ａを有する操作部１３に対して垂直方向に下方へ、つまり本体の中に奥まった位置に配置しているので、操作部１３と表示部１４とを構造的に明確に区分することができる。さらに、表示部１４を入出力部１２の中央に配置しているので、複数の表示手段１４ａを集中させることができる。
【００３３】
また、操作部１３を構成する複数の操作手段１３ａのうち、給湯操作に関わる操作手段を入出力部１２の右側に集合配置し、給湯以外の操作に関わる操作手段を左側に集合配置しているので、複数の操作手段１３ａを機能別に区分することができる上に、給湯操作（電気湯沸かし器の主要操作）に関わる操作手段と、それ以外の操作に関わる操作手段とを構造的にグル−ピングすることができる。さらに、給湯以外の操作に関わる操作手段のうち、操作頻度の高い操作手段を本体手前側から順に配置しているので、複数の操作手段１３ａについて構造的に使用頻度によるランク付けを行うことができる。
【００３４】
また、表示部１４を構成する複数の表示手段１４ａのうち、液体の保温温度などを数値的に表示する第１表示手段１４ａ（ア）と、液体の保温状態を表示する第２表示手段１４ａ（イ）と、液体を浄化している状態を表示する第３表示手段１４ａ（ウ）とを入出力部１２の下部１２ｂに配置しているので、電気湯沸かし器の保温状態に関連する表示手段を構造的に集中させ、関連づけることができる上に、電気沸かし器の浄水状態を表示することができる。さらに、第１表示手段１４ａ（ア）の上側に第２表示手段１４ａ（イ）、下側に第３表示手段１４ａ（ウ）を分割配置しているので、構造的にグル−ピングすることができる。
【００３５】
上記実施例に示すように、操作部１３、表示部１４を構造的に区分することによって、操作上の「わかりにくさ」「使いにくさ」を解消し、使い勝手の優れた電気湯沸かし器を提供することができる。
【００３６】
【発明の効果】
上記より明らかなように、本発明によれば、操作部と表示部を構造的に明確に区分した上で表示部を集中させ、操作部と表示部の関連づけを行うことができる。さらに、操作部を機能別に区分して使用頻度によるランク付けを意識した配置を行い、表示部の状態別に区分することによって、「わかりにくさ」を解消し、使い勝手の良い電気湯沸かし器を提供することができる。
【図面の簡単な説明】
【図１】本発明の実施例を示す電気湯沸かし器の主要部分解図
【図２】本発明の実施例を示す電気湯沸かし器の主要部断面図
【図３】本発明の実施例を示す電気湯沸かし器の入出力部の外観図
【図４】従来例を示す電気湯沸かし器の主要部分解図
【図５】従来例を示す電気湯沸かし器の主要部断面図
【図６】従来例を示す電気湯沸かし器の入出力部の外観図
【符号の説明】
１１    制御回路
１２    入出力部
１３    操作部
１３ａ  操作手段
１４    表示部
１４ａ  表示手段
１４ａ（ア）  第１表示手段
１４ａ（イ）  第２表示手段
１４ａ（ウ）  第３表示手段
【図１】
0003575392.tif 000002
【図２】
0003575392.tif 000003
【図３】
0003575392.tif 000004
【図４】
0003575392.tif 000005
【図５】
0003575392.tif 000006
【図６】
0003575392.tif 000007